(57)【要約】【課題】従来に比べて作業性が良く、施工費も大幅に低減することが可能な太陽電池パネル架台を提供する。【解決手段】太陽電池パネル３０の受光面が斜め上方を向くように太陽電池パネル３０を保持するフレーム１１と、フレーム１１を支持し、少なくとも下部が地中に埋設される支持部材１２とを備える太陽電池パネル架台１０であって、支持部材１２は、地中に埋設されるベースプレート１３と、ベースプレート１３上に立設され、少なくとも下部が地中に埋設される円筒部１４と、円筒部１４から上方に延出し、延出長さが調節可能とされているロッド１５と、ロッド１５の上端部に設けられ、フレーム１１に接合される接合プレート１６とを有している。【選択図】図３
0003188906.tif 000002
【実用新案登録請求の範囲】
【請求項１】
太陽電池パネルの受光面が斜め上方を向くように該太陽電池パネルを保持するフレームと、前記フレームを支持し、少なくとも下部が地中に埋設される支持部材とを備え、
前記支持部材は、地中に埋設されるベースプレートと、前記ベースプレート上に立設され、少なくとも下部が地中に埋設される円筒部と、前記円筒部から上方に延出し、延出長さが調節可能とされているロッドと、前記ロッドの上端部に設けられ、前記フレームに接合される接合プレートとを有することを特徴とする太陽電池パネル架台。
【考案の詳細な説明】
【技術分野】
【０００１】
本考案は、太陽から放射される光エネルギーを吸収して発電する太陽電池パネルを支持する太陽電池パネル架台に関する。
【背景技術】
【０００２】
近年、化石燃料の枯渇に加えて地球温暖化等の地球環境問題が深刻化していることから、クリーンエネルギーである太陽光発電が注目されている。太陽光発電では、複数の太陽電池（セル）を並べてパネル状に形成した太陽電池パネル（太陽電池モジュール）が使用される。１枚の太陽電池パネルが発電できる電力は限られているため、通常、太陽電池パネルを複数枚並べた太陽電池アレイが構成される。
【０００３】
太陽電池パネルを地面に設置する場合、太陽電池パネルの受光面を太陽に向けるため、太陽電池パネル架台（以下、単に「架台」という場合がある。）が使用される。その際、太陽電池パネル架台が強風等で転倒しないように、太陽電池パネル架台の下端部をコンクリート基礎に固定することが一般に行われている。例えば特許文献１、２では、架台の下端部が、直方体形状のコンクリート基礎にアンカーボルトを介して固定されている。
【０００４】
コンクリート基礎を施工する際は、地面を掘削して建て込んだ型枠内に生コンを流し込み、生コンの天端調整を行うと共に、太陽電池パネル架台を固定するためのアンカーボルトを生コンに埋め込む。コンクリート基礎が硬化した時点でコンクリート基礎を囲っていた型枠を解体し、当該コンクリート基礎から上方に突出するアンカーボルトに太陽電池パネル架台を固定する。
【先行技術文献】
【特許文献】
【０００５】
【特許文献１】登録実用新案第３０６０８８７号公報
【特許文献２】特開２０１２−１７２４５４号公報
【考案の概要】
【考案が解決しようとする課題】
【０００６】
しかしながら、原野やゴルフ場など広大な土地に太陽電池パネルを設置するような場合、コンクリート基礎を構築して当該コンクリート基礎に太陽電池パネル架台を固定する従来の方法を採用すると、コンクリート基礎工事にかなりの期間と費用が掛かるという問題がある。
また、コンクリート基礎に埋め込まれたアンカーボルトの位置が正規の位置から外れていた場合、コンクリート基礎に太陽電池パネル架台を固定することができないため、手直しに時間が掛かるという問題もある。
【０００７】
本考案はかかる事情に鑑みてなされたもので、従来に比べて作業性が良く、施工費も大幅に低減することが可能な太陽電池パネル架台を提供することを目的とする。
【課題を解決するための手段】
【０００８】
上記目的を達成するため、本考案は、太陽電池パネルの受光面が斜め上方を向くように該太陽電池パネルを保持するフレームと、前記フレームを支持し、少なくとも下部が地中に埋設される支持部材とを備え、
前記支持部材は、地中に埋設されるベースプレートと、前記ベースプレート上に立設され、少なくとも下部が地中に埋設される円筒部と、前記円筒部から上方に延出し、延出長さが調節可能とされているロッドと、前記ロッドの上端部に設けられ、前記フレームに接合される接合プレートとを有することを特徴としている。
【０００９】
本考案では、フレームを支持する支持部材が、少なくとも下部が地中に埋設される円筒部と、円筒部から上方に延出し、延出長さが調節可能とされているロッドとを有し、ロッドの延出長さを調節することで、支持部材の長さを調節することができる。そのため、支持部材の少なくとも下部を地中に埋設して支持部材を地面に固定した後、支持部材の長さを調節することで、フレームの高さを調節することができる。
【考案の効果】
【００１０】
本考案に係る太陽電池パネル架台は、太陽電池パネルを保持するフレームと、フレームを支持する支持部材とを備えており、支持部材の少なくとも下部を地中に埋設して支持部材を地面に固定した後、支持部材を構成する円筒部から上方に延出するロッドの延出長さを調節することで、フレームの高さを調節することができる。その結果、コンクリート基礎が不要となり、従来に比べて作業性が格段に向上し、施工費も大幅に低減することができる。
【図面の簡単な説明】
【００１１】
【図１】本考案の一実施の形態に係る太陽電池パネル架台並びに同架台に設置された太陽電池パネルの斜視図である。
【図２】同太陽電池パネル架台の斜視図である。
【図３】地面に固定された同太陽電池パネル架台の側面図である。
【図４】同太陽電池パネル架台を構成する支持部材の縦断面図である。
【考案を実施するための形態】
【００１２】
続いて、添付した図面を参照しつつ、本考案を具体化した実施の形態につき説明し、本考案の理解に供する。
【００１３】
本考案の一実施の形態に係る太陽電池パネル架台１０並びに同架台１０に設置された太陽電池パネル３０の斜視図を図１に、太陽電池パネル架台１０のみの斜視図を図２に、地面に固定された太陽電池パネル架台１０の側面図を図３に示す。
太陽電池パネル架台１０は、太陽電池パネル３０の受光面が斜め上方を向くように太陽電池パネル３０を保持するフレーム１１と、フレーム１１を支持し、少なくとも下部が地中に埋設される支持部材１２とを備えている。
【００１４】
太陽電池パネル３０は、複数の太陽電池（セル）を相互接続して矩形パネル状に形成したものであり、１枚の大きさは１６５０ｍｍ×９９０ｍｍ程度、厚さは４０ｍｍ程度である。本実施の形態では、太陽電池パネル３０を格子状（横方向：４枚×縦方向：４枚）に配置し、正面視して横方向に長い矩形状の太陽電池アレイを構成している。
【００１５】
太陽電池パネル３０を保持するフレーム１１は、水平方向に配置される低位置側横架材２０と、低位置側横架材２０より高い位置に低位置側横架材２０と平行に配置される高位置側横架材２１と、低位置側横架材２０と高位置側横架材２１間に掛け渡され、太陽電池パネル３０を支持する８本のパネル受け桟２２と、高位置側横架材２１を支持する２本のＶ字柱を構成する４本の斜材２３と、斜材２３からなるＶ字柱の下端部と低位置側横架材２０とを繋ぐ２本の繋ぎ材２４とから概略構成されている。
【００１６】
低位置側横架材２０及び高位置側横架材２１は梁成１００ｍｍ程度、長さ６６００ｍｍ程度の溝形鋼、パネル受け桟２２は長さ４０００ｍｍ程度のリップ溝形鋼、斜材２３は長さ１３００ｍｍ程度の山形鋼、繋ぎ材２４は長さ２２５０ｍｍ程度の山形鋼からそれぞれ構成されている。
また、水平面に対するパネル受け桟２２の傾斜角度は２５°程度である。
【００１７】
フレーム１１を支持する支持部材１２は、低位置側横架材２０を支持する２本の支持部材１２と、斜材２３からなる各Ｖ字柱を支持する２本の支持部材１２の計４本とされている。
各支持部材１２は、図３、図４に示すように、地中に埋設される平面視方形状のベースプレート１３と、ベースプレート１３上に立設され、少なくとも下部が地中に埋設される円筒部１４と、円筒部１４から上方に延出し、延出長さが調節可能とされているロッド１５と、ロッド１５の上端部に設けられ、斜材２３からなるＶ字柱の下端部もしくは低位置側横架材２０に接合される平面視方形状の接合プレート１６とを有している。
ロッド１５は全ねじボルトとされ、ロッド１５の外周面に形成された雄ねじ部と螺合するナット１７が円筒部１４の上端面に固定されている。ロッド１５を材軸回りに回転させることで、ロッド１５が材軸方向に移動し、ロッド１５の延出長さが調整される。
【００１８】
ロッド１５の直径は３０ｍｍ、長さは１０００ｍｍ程度、円筒部１４は、外径：７６．３ｍｍ、肉厚：４．２ｍｍ、長さ：１５００ｍｍ程度とされている。
ベースプレート１３は幅９００ｍｍ程度、厚さ８ｍｍ程度、接合プレート１６は幅１５０ｍｍ程度、厚さ８ｍｍ程度とされている。
なお、ロッド１５の材質はＳＵＳ３０４、ベースプレート１３、円筒部１４、及び接合プレート１６の材質はＳＳ４００で表面を溶融亜鉛メッキしている。
【００１９】
次に、上記構成を有する太陽電池パネル架台１０の施工方法について説明する。
（１）支持部材１２が設置される箇所に、ベースプレート１３の幅より若干大きめの幅を有する竪穴（図示省略）を形成する。竪穴の深さは、支持部材１２の埋設深さとする。
（２）穴底に捨てコンを敷き、捨てコンの上に支持部材１２を載置する。
（３）竪穴の埋戻しを行う。本実施の形態では、円筒部１４の半分程度まで埋め戻している（図３参照）。
【００２０】
（４）円筒部１４から上方に延出するロッド１５の延出長さを調節する。
（５）ロッド１５の上端部に設けられた接合プレート１６上に、フレーム１１を仮置きし、接合プレート１６にフレーム１１を接合する。なお、フレーム１１は、工場もしくは現地で別途組み立てておく。
【００２１】
以上、本考案の一実施の形態について説明してきたが、本考案は何ら上記した実施の形態に記載の構成に限定されるものではなく、実用新案登録請求の範囲に記載されている事項の範囲内で考えられるその他の実施の形態や変形例も含むものである。例えば、上記実施の形態では、ロッドの外周面に形成された雄ねじ部と螺合するナットが円筒部の上端面に固定されているが、ロッドの外周面に形成された雄ねじ部に螺合する雌ねじ部を円筒部の内周面に形成してもよい。また、上記実施の形態における太陽電池パネル架台は、あくまで一例であって、太陽電池パネル架台を構成する部材の寸法や本数は、太陽電池パネル１枚の大きさや使用する枚数等に依存することは言うまでもない。
【符号の説明】
【００２２】
１０：太陽電池パネル架台、１１：フレーム、１２：支持部材、１３：ベースプレート、１４：円筒部、１５：ロッド、１６：接合プレート、１７：ナット、２０：低位置側横架材、２１：高位置側横架材、２２：パネル受け桟、２３：斜材、２４：繋ぎ材、３０：太陽電池パネル
【図１】
0003188906.tif 000003
【図２】
0003188906.tif 000004
【図３】
0003188906.tif 000005
【図４】
0003188906.tif 000006